(57)【要約】【課題】耕耘作業中であっても、機体を停止させることなく、上面カバーや側面カバーの角度調節ができるようにする。【解決手段】エンジン２の動力で走行する機体と、該機体から延出するハンドル５と、エンジン２の動力で動作するロータリ耕耘装置７とを備える歩行型作業機１において、ロータリ耕耘装置７の上部を覆う上面カバー１３と、ロータリ耕耘装置７の側部を覆う側面カバー１４とを備え、上面カバー１３及び側面カバー１４を前後方向の軸芯回りでそれぞれ角度調節自在に構成し、ロータリ耕耘装置７が跳ね上げた耕耘土を上面カバー１３及び側面カバー１４によって下方又は横方向に案内するにあたり、上面カバー１３及び側面カバー１４の角度をハンドル５側に設けた操作具（２１、２２、２３）によって遠隔操作可能にした。【選択図】図１
2009171915.tif 000002
【特許請求の範囲】
【請求項１】
エンジンの動力で走行する機体と、該機体から延出するハンドルと、エンジンの動力で動作するロータリ耕耘装置とを備える歩行型作業機において、
前記ロータリ耕耘装置の上部を覆う上面カバーと、ロータリ耕耘装置の側部を覆う側面カバーとを備え、上面カバー及び側面カバーを前後方向の軸芯回りでそれぞれ角度調節自在に構成し、ロータリ耕耘装置が跳ね上げた耕耘土を上面カバー及び側面カバーによって下方又は横方向に案内するにあたり、
上面カバーの角度をハンドル側に設けた操作具によって遠隔操作可能にしたことを特徴とする歩行型作業機。
【請求項２】
エンジンの動力で走行する機体と、該機体から延出するハンドルと、エンジンの動力で動作するロータリ耕耘装置とを備える歩行型作業機において、
前記ロータリ耕耘装置の上部を覆う上面カバーと、ロータリ耕耘装置の側部を覆う側面カバーとを備え、上面カバー及び側面カバーを前後方向の軸芯回りでそれぞれ角度調節自在に構成し、ロータリ耕耘装置が跳ね上げた耕耘土を上面カバー及び側面カバーによって下方又は横方向に案内するにあたり、
側面カバーの角度をハンドル側に設けた操作具によって遠隔操作可能にしたことを特徴とする歩行型作業機。
【請求項３】
エンジンの動力で走行する機体と、該機体から延出するハンドルと、エンジンの動力で動作するロータリ耕耘装置とを備える歩行型作業機において、
前記ロータリ耕耘装置の上部を覆う上面カバーと、ロータリ耕耘装置の側部を覆う側面カバーとを備え、上面カバー及び側面カバーを前後方向の軸芯回りでそれぞれ角度調節自在に構成し、ロータリ耕耘装置が跳ね上げた耕耘土を上面カバー及び側面カバーによって下方又は横方向に案内するにあたり、
上面カバー及び側面カバーの角度をハンドル側に設けた操作具によって遠隔操作可能にしたことを特徴とする歩行型作業機。
【請求項４】
エンジンの動力で走行する機体と、該機体から延出するハンドルと、エンジンの動力で動作するロータリ耕耘装置とを備える歩行型作業機において、
前記ロータリ耕耘装置の上部を覆う上面カバーと、ロータリ耕耘装置の側部を覆う側面カバーとを備え、上面カバー及び側面カバーを前後方向の軸芯回りでそれぞれ角度調節自在に構成し、ロータリ耕耘装置が跳ね上げた耕耘土を上面カバー及び側面カバーによって下方又は横方向に案内するにあたり、
上面カバー及び／又は側面カバーの角度を変更する電動アクチュエータを設けると共に、該電動アクチュエータの操作具をハンドル側に設けたことを特徴とする歩行型作業機。
【発明の詳細な説明】
【技術分野】
【０００１】
本発明は、ロータリ耕耘装置を備える歩行型作業機に関する。
【背景技術】
【０００２】
ロータリ耕耘装置を備える歩行型作業機が知られている（例えば、特許文献１、２参照）。この種の歩行型作業機で中耕作業を行う場合、ロータリ耕耘装置の上部を覆う上面カバーを前後方向の軸芯回りで任意の角度に調節すると共に、当該上面カバーに取り付けた側面カバーを同様に前後方向の軸芯回りで角度調節して、ロータリ耕耘装置によって跳ね上げた耕耘土を機体横方向に案内し、畝上の作物の根元部に耕耘土を供給するようにしている。
【特許文献１】特開２００２−３１５４０３号公報
【特許文献２】特開平１０−２７６５０３号公報
【発明の開示】
【発明が解決しようとする課題】
【０００３】
しかしながら、従来の歩行型作業機では、上面カバーや側面カバーに直接取付けられた角度調節部材によって上面カバーや側面カバーの角度調節を行っていたため、耕耘作業中に上面カバーや側面カバーの角度調節を行う場合、機体を一旦停止させる必要があり、作業効率が低下するという問題がある。また、機体停止状態では、耕耘土の飛散具合を実際に確認することができないため、角度調節の精度や効率も劣るという問題があった。
【課題を解決するための手段】
【０００４】
本発明は、上記の如き実情に鑑みこれらの課題を解決することを目的として創作されたものであって、エンジンの動力で走行する機体と、該機体から延出するハンドルと、エンジンの動力で動作するロータリ耕耘装置とを備える歩行型作業機において、前記ロータリ耕耘装置の上部を覆う上面カバーと、ロータリ耕耘装置の側部を覆う側面カバーとを備え、上面カバー及び側面カバーを前後方向の軸芯回りでそれぞれ角度調節自在に構成し、ロータリ耕耘装置が跳ね上げた耕耘土を上面カバー及び側面カバーによって下方又は横方向に案内するにあたり、上面カバーの角度をハンドル側に設けた操作具によって遠隔操作可能にしたことを特徴とする。このようにすると、耕耘作業中に上面カバーの角度調節を行う場合、機体を停止させる必要がないので、上面カバーの角度調節に伴う作業効率の低下を回避できる。また、走行中に上面カバーの角度調節を行うと、耕耘土の飛散具合を実際に確認することができるので、角度調節の精度や効率も向上させることができる。
また、エンジンの動力で走行する機体と、該機体から延出するハンドルと、エンジンの動力で動作するロータリ耕耘装置とを備える歩行型作業機において、前記ロータリ耕耘装置の上部を覆う上面カバーと、ロータリ耕耘装置の側部を覆う側面カバーとを備え、上面カバー及び側面カバーを前後方向の軸芯回りでそれぞれ角度調節自在に構成し、ロータリ耕耘装置が跳ね上げた耕耘土を上面カバー及び側面カバーによって下方又は横方向に案内するにあたり、側面カバーの角度をハンドル側に設けた操作具によって遠隔操作可能にしたことを特徴とする。このようにすれば、耕耘作業中に側面カバーの角度調節を行う場合、機体を停止させる必要がないので、側面カバーの角度調節に伴う作業効率の低下を回避できる。また、走行中に側面カバーの角度調節を行うと、耕耘土の飛散具合を実際に確認することができるので、角度調節の精度や効率も向上させることができる。
また、エンジンの動力で走行する機体と、該機体から延出するハンドルと、エンジンの動力で動作するロータリ耕耘装置とを備える歩行型作業機において、前記ロータリ耕耘装置の上部を覆う上面カバーと、ロータリ耕耘装置の側部を覆う側面カバーとを備え、上面カバー及び側面カバーを前後方向の軸芯回りでそれぞれ角度調節自在に構成し、ロータリ耕耘装置が跳ね上げた耕耘土を上面カバー及び側面カバーによって下方又は横方向に案内するにあたり、上面カバー及び側面カバーの角度をハンドル側に設けた操作具によって遠隔操作可能にしたことを特徴とする。このようにすれば、耕耘作業中に上面カバーや側面カバーの角度調節を行う場合、機体を停止させる必要がないので、上面カバーや側面カバーの角度調節に伴う作業効率の低下を回避できる。また、走行中に上面カバーや側面カバーの角度調節を行うと、耕耘土の飛散具合を実際に確認することができるので、角度調節の精度や効率も向上させることができる。
また、エンジンの動力で走行する機体と、該機体から延出するハンドルと、エンジンの動力で動作するロータリ耕耘装置とを備える歩行型作業機において、前記ロータリ耕耘装置の上部を覆う上面カバーと、ロータリ耕耘装置の側部を覆う側面カバーとを備え、上面カバー及び側面カバーを前後方向の軸芯回りでそれぞれ角度調節自在に構成し、ロータリ耕耘装置が跳ね上げた耕耘土を上面カバー及び側面カバーによって下方又は横方向に案内するにあたり、上面カバー及び／又は側面カバーの角度を変更する電動アクチュエータを設けると共に、該電動アクチュエータの操作具をハンドル側に設けたことを特徴とする。このようにすれば、耕耘作業中に上面カバーや側面カバーの角度調節を行う場合、機体を停止させる必要がないので、上面カバーや側面カバーの角度調節に伴う作業効率の低下を回避できる。また、走行中に上面カバーや側面カバーの角度調節を行うと、耕耘土の飛散具合を実際に確認することができるので、角度調節の精度や効率も向上させることができる。また、電動アクチュエータを用いて上面カバーや側面カバーの角度を変更するので、ワイヤやロッドを介して操作具とカバーを連繋する場合に比べ、構造を簡略化することができる。
【発明を実施するための最良の形態】
【０００５】
次に、本発明の実施形態について、図面に基づいて説明する。図１において、１は歩行型管理機を構成する歩行型作業機であって、該歩行型作業機１の機体は、走行動力及び作業動力を発生させるエンジン２と、エンジン動力を変速するミッションケース３と、ミッションケース３の左右両側方に設けられる車輪４と、機体から後ろ上方に延出するハンドル５とを備えて構成されており、ハンドル５側に設けられる操作具の操作に応じて走行するようになっている。
【０００６】
機体後部のヒッチ６には、ロータリ耕耘装置７が連結されており、チェン伝動ケース８を介して伝動されるエンジン動力によって、耕耘動作が行われるようになっている。ロータリ耕耘装置７は、ヒッチ６に連結されるロータリフレーム９と、チェン伝動ケース８からエンジン動力を入力するロータリケース１０と、ロータリケース１０の下部から左右両側方に延出される耕耘軸１１と、該耕耘軸１１に複数設けられる耕耘爪１１ａと、耕耘爪１１ａの耕耘深さを規定する尾輪１２と、耕耘爪１１ａの周囲を各種カバー１３、１４、１５とを備えて構成されている。そして、各種カバー１３、１４、１５には、ロータリ耕耘装置７の上部を覆う左右一対の上面カバー１３と、ロータリ耕耘装置７の側部を覆う左右一対の側面カバー１４と、ロータリ耕耘装置７の後部を覆うリヤカバー１５とが含まれている。
【０００７】
図２及び図３に示すように、上面カバー１３は、ロータリフレーム９の左右に設けたヒンジ１６を介して、前後方向の軸芯回りに回動自在に取り付けられている。本実施形態の上面カバー１３は、ヒンジ１６を介してロータリフレーム９に支持されるメインカバー１７と、該メインカバー１７の下方に重合し、かつ、左右方向にスライド自在なサブカバー１８とを備えて構成されており、蝶ナット１９を緩めてサブカバー１８をメインカバー１７の下方から引き出すことによって、左右幅を調節できるようにしてある。
【０００８】
図３に示すように、ロータリ耕耘装置７の上部には、左右一対の電動シリンダ（電動アクチュエータ）２０が設けられている。各電動シリンダ２０の上端部は、各電動シリンダ２０の下端部は、左右の上面カバー１３に対して前後方向の軸芯回りに回動自在に連結されている。そして、左右の電動シリンダ２０を同期的に伸縮作動させることにより、上面カバー１３の開閉角度が調節されるようになっている。
【０００９】
電動シリンダ２０の操作具である上面カバー上昇スイッチ２１及び上面カバー下降スイッチ２２は、ハンドル５側に設けられている。具体的には、後述する側面カバー操作レバー２３の中間部に上面カバー上昇スイッチ２１及び上面カバー下降スイッチ２２を並設してあり、上面カバー上昇スイッチ２１が押圧操作されると、左右の電動シリンダ２０が同期的に縮小して、左右に上面カバー１３が上昇方向に回動する一方、上面カバー下降スイッチ２２が押圧操作されると、左右の電動シリンダ２０が同期的に伸長して、左右に上面カバー１３が下降方向に回動するようになっている。
【００１０】
このようにすると、耕耘作業中に上面カバー１３の角度調節を行う場合、機体を停止させることなく、ハンドル５側に設けられるスイッチ２１、２２を操作するだけで、上面カバー１３の角度変更が可能になるので、上面カバー１３の角度調節に伴う作業効率の低下を回避できる。また、走行中に上面カバー１３の角度調節を行うと、耕耘土の飛散具合を実際に確認することができるので、角度調節の精度や効率も向上させることができる。
【００１１】
図３及び図４に示すように、側面カバー１４は、上面カバー１３の外端に設けたヒンジ２４を介して、前後方向の軸芯回りに回動自在に取り付けられている。側面カバー１４の上端部には、アーム２５が突設されており、該アーム２５の先端部には、ループ状に配されるワイヤ２６の両端が連結されている。つまり、ワイヤ２６の中間部を押し方向又は引き方向に送り操作することによって、側面カバー１４の角度を調節することが可能になる。なお、上面カバー１３には、アウタ受け部材２７、２８が設けられており、ワイヤ２６をガイドするアウタチューブ２９の両端がアウタ受け部材２７、２８によって支持される。
【００１２】
図５に示すように、ワイヤ２６の送り操作は、ハンドル５側に設けられる側面カバー操作レバー２３によって行われる。つまり、側面カバー操作レバー２３の回動支点軸には、ワイヤ２６が巻回されるプーリ３０が設けられており、側面カバー操作レバー２３の操作に応じて回動するプーリ３０がワイヤ２６を押し方向又は引き方向に送ることにより、側面カバー１４の角度が変更されるようになっている。
【００１３】
このようにすると、耕耘作業中に側面カバー１４の角度調節を行う場合、機体を停止させることなく、ハンドル５側に設けられるレバー２３を操作するだけで、側面カバー１４の角度変更が可能になるので、側面カバー１４の角度調節に伴う作業効率の低下を回避できる。また、走行中に側面カバー１４の角度調節を行うと、耕耘土の飛散具合を実際に確認することができるので、角度調節の精度や効率も向上させることができる。
【００１４】
叙述の如く構成された本実施形態によれば、エンジン２の動力で走行する機体と、該機体から延出するハンドル５と、エンジン２の動力で動作するロータリ耕耘装置７とを備える歩行型作業機１において、ロータリ耕耘装置７の上部を覆う上面カバー１３と、ロータリ耕耘装置７の側部を覆う側面カバー１４とを備え、上面カバー１３及び側面カバー１４を前後方向の軸芯回りでそれぞれ角度調節自在に構成し、ロータリ耕耘装置７が跳ね上げた耕耘土を上面カバー１３及び側面カバー１４によって下方又は横方向に案内するにあたり、上面カバー１３及び側面カバー１４の角度をハンドル５側に設けた操作具（２１、２２、２３）によって遠隔操作可能にしたので、耕耘作業中に上面カバー１３や側面カバー１４の角度調節を行う場合に、機体を停止させる必要がなくなり、上面カバー１３や側面カバー１４の角度調節に伴う作業効率の低下を回避できる。また、走行中に上面カバー１３や側面カバー１４の角度調節を行うと、耕耘土の飛散具合を実際に確認することができるので、角度調節の精度や効率も向上させることができる。
【００１５】
また、本実施形態では、上面カバー１３の角度変更を電動シリンダ２０で行うので、ワイヤやロッドを介して操作具とカバーを連繋する場合に比べ、構造を簡略化することができる。
【００１６】
また、上面カバー１３の端縁部に設けられる側面カバー１４の角度変更は、ワイヤ２６で行うようにしたので、上面カバー１３と側面カバー１４との間に角度変更用の電動シリンダを介設する場合に比べ、上面カバー１３の軽量化が図れる。
【図面の簡単な説明】
【００１７】
【図１】歩行型作業機の側面図である。
【図２】ロータリ耕耘装置の平面図である。
【図３】上面カバーの角度調節構造を示すロータリ耕耘装置の要部正面図である。
【図４】側面カバーの角度調節構造を示すロータリ耕耘装置の要部正面図である。
【図５】側面カバー操作レバーの側面図である。
【符号の説明】
【００１８】
１      歩行型作業機
２      エンジン
５      ハンドル
７      ロータリ耕耘装置
１１ａ  耕耘爪
１３    上面カバー
１４    側面カバー
２０    電動シリンダ
２１    上面カバー上昇スイッチ
２２    上面カバー下降スイッチ
２３    側面カバー操作レバー
【図１】
2009171915.tif 000003
【図２】
2009171915.tif 000004
【図３】
2009171915.tif 000005
【図４】
2009171915.tif 000006
【図５】
2009171915.tif 000007